(57)【要約】【課題】大きい面積の穴を形成し、強度を保ちながら軽量化することができるＨＤＤ収納部の構造を提供する。【解決手段】本体３の底面におけるＨＤＤ収納部１１の内側の蓋を保持する縁端部１８およびネジ止め部１６、ＨＤＤ１２が収納される強度保持に必要な部分以外に穴を形成する。【選択図】図３
2014086119.tif 000002
【特許請求の範囲】
【請求項１】
本体の底面におけるＨＤＤ収納部の内側の蓋を保持する縁端部およびネジ止め部、ＨＤＤが収納される強度保持に必要な部分以外に穴を形成することを特徴とするＨＤＤ収納部の構造。
【請求項２】
前記本体の底面および前記ＨＤＤ収納部の材料は、マグネシウムダイキャストであることを特徴とする請求項１記載のＨＤＤ収納部の構造。
【請求項３】
前記ＨＤＤ収納部に形成された前記穴の面積は、前記ＨＤＤ収納部の穴が形成されない部分の面積より大きいことを特徴とする請求項１または２記載のＨＤＤ収納部の構造。
【請求項４】
請求項１〜３のいずれか１項に記載のＨＤＤ収納部の構造を備えたことを特徴とする電子機器。
【発明の詳細な説明】
【技術分野】
【０００１】
本発明は、ＨＤＤが収納されるＨＤＤ収納部の構造および電子機器に関する。
【背景技術】
【０００２】
従来より、ノート型パーソナルコンピュータ（ノートＰＣ）に使用される材料は、軽量かつ高強度な筐体素材であるマグネシウムダイキャストが知られている。ノートＰＣはデザインや機能を向上させつつ、少しでも軽量化することが求められる。
【０００３】
特許文献１には、ＨＤＤ本体と、そのＨＤＤ本体を本体ユニットの筐体に取り付けるための取付金具とから構成され、取付金具の基部に磁気シールドを損なわないレベルで丸い穴を多数形成し、軽量化した電子機器が開示されている。
【先行技術文献】
【特許文献】
【０００４】
【特許文献１】特開２００９−４３３５５号公報
【発明の概要】
【発明が解決しようとする課題】
【０００５】
しかし、特許文献１に開示されている技術は、ＨＤＤに取り付ける取付金具の軽量化を目的とするものであるが、取付金具はＨＤＤに取り付けたり取り外しをするものであるため、所定の強度を確保する必要がある。そのため、取付金具に丸い形状の穴を多数形成するとしても、大きい面積の穴を形成することができず、十分に軽量化することができない問題があった。
【０００６】
本発明は、前記課題を解決するためのものであり、その目的とするところは、大きい面積の穴を形成し、強度を保ちながら軽量化することができるＨＤＤ収納部の構造を提供することにある。
【課題を解決するための手段】
【０００７】
かかる目的を達成するために、本発明は、以下の特徴を有する。
【０００８】
本発明に係るＨＤＤ収納部の構造は、本体の底面におけるＨＤＤ収納部の内側の蓋を保持する縁端部およびネジ止め部、ＨＤＤが収納される強度保持に必要な部分以外に穴を形成することを特徴とする。
【発明の効果】
【０００９】
本発明によれば、ＨＤＤ収納部の内側の面に大きい面積の穴を形成し、強度を保ちながら軽量化することができる。
【図面の簡単な説明】
【００１０】
【図１】本実施形態に係るノートＰＣの正面図である。
【図２】本実施形態に係るノートＰＣの側面図である。
【図３】本実施形態に係るノートＰＣの裏面図である。
【図４】本実施形態に係るノートＰＣのＡ−Ａ断面図である。
【図５】本実施形態に係るＨＤＤ収納部の拡大図である。
【発明を実施するための形態】
【００１１】
以下、本実施形態について図面により詳細に説明する。
【００１２】
図１は、本実施形態に係るノートＰＣ１の正面図である。ノートＰＣ１は、表示部２と本体部３とがヒンジ４により、開閉可能に支持されている。
【００１３】
本体部３の後ろ側には、キーボード５が設けられている。前側には、トラックパッド８が設けられている。本体部３の内部には、配線基板が収納されている。
【００１４】
図２は、本実施形態に係るノートＰＣ１の側面図である。表示部２と本体部３とは、ヒンジ４を回転軸にして折り畳まれた状態である。本体部３の前側にディスクドライブ６が設置され、本体部３の上面に、キーボード５が設けられている。本体部３の底面には、ゴム足７が複数設けられている。
【００１５】
図３は、本実施形態に係るノートＰＣ１の裏面図である。図４は、本実施形態に係るノートＰＣ１のＡ−Ａ断面図である。図５は、本実施形態に係るＨＤＤ収納部１１の拡大図である。
【００１６】
本体部３の裏面の前側には、ＨＤＤ１２が収納されるＨＤＤ収納部１１が設けられている。ＨＤＤ収納部１１は凹部１３が形成され、ＨＤＤ１２を収納することができる。図３では、ＨＤＤカバーが外され、ＨＤＤ１２が収納されていない状態である。
【００１７】
図３の網模様の部分は、ＨＤＤ収納部１１の内側の面に穴が形成された部分である。ＨＤＤ収納部１１の凹部１３の水平面に、長方形で大きい面積の穴１４ａ，１４ｂが形成されている。凹部１３の水平面と側面の角部には、Ｌ字型の穴１５ａ，１５ｂ，１５ｃ，１５ｄ，１５ｅが形成されている。
【００１８】
ＨＤＤ収納部１１のＨＤＤカバーを保持するネジ止め部１６は、凹部１３に隣り合い、凹部１３に収納されたＨＤＤ１２と略等しい高さで２ヶ所に形成されている。ネジ止め部１６の両隣りには、長方形の穴１７ａ，１７ｂ，１７ｃが形成されている。
【００１９】
ＨＤＤ収納部１１の内側における凹部１３の水平面と側面の強度保持に必要な部分（強度保持部）と、ネジ止め部１６と、ＨＤＤカバーを保持する縁端部１８以外の面に穴が形成されている。ＨＤＤ収納部１１に形成された穴の面積は、ＨＤＤ収納部の穴が形成されない部分の面積より大きくすることができる。
【００２０】
また、本体部３の裏面の材料はマグネシウムダイキャストであり、本体部３と一体に成形されているＨＤＤ収納部１１の材料もマグネシウムダイキャストなので、ＨＤＤ収納部１１の面に穴を開けても強度を保持でき、かつ軽量化を図ることができる。なお、他の材料として、例えばアルミニウム、ステンレス、多種の樹脂などを用いることができる。
【００２１】
本体部３の一端側にディスクドライブ６が設置され、本体部３の両端には、図示しない複数の接続部が配置され、多種のコネクタやケーブル等を接続することができる。ＨＤＤ収納部１１の前後両端の水平面は、ＨＤＤ１２をコネクタ位置にガイドする部分であり、両端には、長方形のクッション１９が固定されている。凹部１３の四方の側面にも長方形のクッション１９が固定されている。
【００２２】
図４に示すように、ＨＤＤ収納部１１の凹部１３の水平面に長方形で大きい面積の穴１４ａが形成されている。凹部１３とネジ止め部１６と隣り合う位置に、長方形の穴１７ａが形成されている。
【００２３】
凹部１３の水平面の強度保持部には、長方形のクッション１９が固定されている。また、凹部１３の水平面の端部と垂直な側面に、長方形のクッション１９が固定されている。ＨＤＤ１２は４端をクッション１９で固定されることにより、振動などの衝撃から保護することができる。
【００２４】
本体部３の上面と、凹部１３の水平面およびネジ止め部１１との間に、コネクタやコネクタの配線基板などが収納されている。
【００２５】
図５に示すように、ＨＤＤ１２をＨＤＤ収納部１１の強度保持部でガイドし、ＨＤＤ１２をＨＤＤ収納部１１に設置することができる。ＨＤＤ１２をＨＤＤ収納部１１の一端に備えられたコネクタ３１に接続し、コネクタ３１は配線基板３２に電気的に接続されている。ＨＤＤ収納部１１の縁端部１８にはＨＤＤカバーが嵌め込まれ、ＨＤＤカバーはネジ止め部１６でネジ止めされる。
【００２６】
本発明によれば、ＨＤＤ収納部１１の内側の面に大きい面積の穴を形成し、強度を保ちながら軽量化することができる。
【符号の説明】
【００２７】
１    ノートＰＣ
３    本体部
１１    ＨＤＤ収納部
１２    ＨＤＤ
１３    凹部
１４    穴
１６    ネジ止め部
１８    縁端部
１９    クッション
３１    コネクタ
【図１】
2014086119.tif 000003
【図２】
2014086119.tif 000004
【図３】
2014086119.tif 000005
【図４】
2014086119.tif 000006
【図５】
2014086119.tif 000007